(57)【特許請求の範囲】
【請求項１】
外方へ突出する一方の床躯体の先端部に形成した目地プレート支持部と、前記外方へ突出する一方の床躯体とクランク状の目地部を介して設けられた他方の床躯体の目地部側上部に形成された反目地部側が傾斜面の目地プレート支持凹部と、後端部が前記目地プレート支持部に前記目地プレート支持凹部を覆う先端部が上方へ回動可能に支持された目地プレートと、前記一方の床躯体と他方の床躯体との間に位置する目地部の他方の床躯体部位にスライド移動可能に支持された前記目地プレートを支持するスライド移動可能な複数個の支持柱、この複数個の支持柱のほぼ中央部にそれぞれほぼ水平方向に突出するように取り付けられたガイド杆、これらのガイド杆をそれぞれ水平方向にスライド移動可能に挿入される前記一方の床躯体あるいは他方の床躯体に水平方向に形成されたガイド孔、これらのガイド孔内にそれぞれ収納された前記複数個の支持柱を常時目地部側へ突出する方向に付勢する付勢スプリングとからなる目地プレート支持機構とを備えることを特徴とする床用目地装置。
【請求項２】
外方へ突出する一方の床躯体の先端部に形成した目地プレート支持部と、前記外方へ突出する一方の床躯体とクランク状の目地部を介して設けられた他方の床躯体の目地部側上部に形成された反目地部側が傾斜面の目地プレート支持凹部と、後端部が前記目地プレート支持部に前記目地プレート支持凹部を覆う先端部が上方へ回動可能に支持された目地プレートと、前記一方の床躯体と他方の床躯体との間に位置する目地部部位の床躯体にスライド移動可能に支持された前記目地プレートを支持するスライド移動可能な複数個の支持柱、この複数個の支持柱を前記一方の床躯体あるいは他方の床躯体の目地部側の部位に回動可能に取付ける回動バー、前記複数個の支持柱を常時目地部側へ突出する方向に付勢する付勢スプリングとからなる目地プレート支持機構とを備えることを特徴とする床用目地装置。
【発明の詳細な説明】
【０００１】
【発明の属する技術分野】
本発明は免震ビル等の床面と目地部を介して設けたよう壁等の床面との間を覆う床用目地装置に関する。
【０００２】
【従来の技術】
従来のこの種の床用目地装置は、目地プレートの後端部を一方の床躯体に支持させ、先端部を他方の床躯体の目地部側の上面に反目地部側が傾斜面の目地プレート支持凹部に支持させる構造になっている。
【０００３】
【発明が解決しようとする課題】
従来の床用目地装置は地震等によって目地部が大きく広がった場合に、目地プレートが目地部に落下する危険があるとともに、この危険を防止するためには目地プレートの先端部を大きく他方の目地プレート支持凹部で支持しなければならず、目地プレートが大きくなるとともに、目地プレート支持凹部が大きくなりコスト高になるととともに、設置作業に手数がかかるという欠点があった。
【０００４】
本発明は以上のような従来の欠点に鑑み、目地プレートが大きくなることなく、目地部が広くなっても目地プレートが目地部へ落下したりすることなく、安全に使用することができる、安価で、容易に設置することができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は外方へ突出する一方の床躯体の先端部に形成した目地プレート支持部と、前記外方へ突出する一方の床躯体とクランク状の目地部を介して設けられた他方の床躯体の目地部側上部に形成された反目地部側が傾斜面の目地プレート支持凹部と、後端部が前記目地プレート支持部に前記目地プレート支持凹部を覆う先端部が上方へ回動可能に支持された目地プレートと、前記一方の床躯体と他方の床躯体との間に位置する目地部の他方の床躯体部位にスライド移動可能に支持された前記目地プレートを支持するスライド移動可能な複数個の支持柱、この複数個の支持柱のほぼ中央部にそれぞれほぼ水平方向に突出するように取り付けられたガイド杆、これらのガイド杆をそれぞれ水平方向にスライド移動可能に挿入される前記一方の床躯体あるいは他方の床躯体に水平方向に形成されたガイド孔、これらのガイド孔内にそれぞれ収納された前記複数個の支持柱を常時目地部側へ突出する方向に付勢する付勢スプリングとからなる目地プレート支持機構とで床用目地装置を構成している。
【０００７】
【発明の実施の形態】
以下、図面に示す実施の形態により、本発明を詳細に説明する。
【０００８】
図１ないし図５に示す本発明の第１の実施の形態において、１は免震ビル等の建物２の外方へ突出する一方の床躯体３とクランク状の目地部４を介して設けられたよう壁５等の他方の床躯体６間の上部目地部４を覆う本発明の床用目地装置で、この床用目地装置１は前記一方の床躯体３の先端部に形成した目地部４に開口する凹部状の目地プレート支持部７と、前記他方の床躯体６の目地部側上部に形成された反目地部側が傾斜面８に形成された目地プレート支持凹部９と、後端部が前記目地プレート支持部７に形成された複数個の軸挿入孔１０に支持ピン１１がそれぞれ遊挿され、前記目地プレート支持凹部９を覆う先端部が上方へ回動可能に支持された目地プレート１２と、前記他方の床躯体６の目地部４内の床面６ａあるいは該床面６ａに固定された支持板６Ａに前記目地プレート１２の先端部寄りの部位を伸縮可能に支持する目地プレート支持機構１３とで構成されている。
【０００９】
前記目地プレート支持部７は一方の床躯体３に凹部７ａを形成して、そのまま使用してもよいが、該凹部７ａを覆うように複数本のビス１４等で固定される金属材製のほぼクランク状に曲げ形成された目地プレート支持金具本体１５と、この目地プレート支持金具本体１５の底面部に形成された複数個の軸挿入孔１０とからなる目地プレート支持金具１６を用いる。
【００１０】
前記目地プレート支持凹部９は他方の床躯体６の目地部側の上部に凹部９ａを形成して、そのまま使用してもよいが、該凹部９ａを覆うように複数本のビス１４等で固定される金属材製の目地プレート支持凹部金具１７を用いる。
【００１１】
前記目地プレート１２は先端部が前記目地プレート支持凹部９の傾斜面８と面接触する傾斜面１８に形成された金属材製の浅皿状の目地プレート本体１９と、この目地プレート本体１９内にモルタル２０等を介して固定された床タイル等の床化粧材２１とで構成されたものが使用されている。
【００１２】
前記目地プレート支持機構１３は前記他方の床躯体６の目地部４に所定間隔で開口するように、該他方の床躯体６に水平方向に形成された複数個の断面四角形状のガイド孔２２と、このガイド孔２２内にそれぞれスライド移動可能に挿入された四角柱状のガイド杆２３と、このガイド杆２３を常時突出方向に付勢する前記ガイド孔２２内にそれぞれ収納された付勢スプリング２４と、前記ガイド杆２３の先端部にそれぞれ固定された、前記目地プレート１２を支持する上下面にローラー２５、２５が設けられた支持柱２６と、前記ガイド杆２３の後端部寄りの部位にそれぞれ取付けられたストッパー片２７と、前記ガイド孔２２の開口端部に複数本のビス１４等によって取付けられた前記ストッパー片２７と当接するカバー体２８とで構成されている。
【００１３】
上記構成の床用目地装置１は、通常時は図２に示すように目地プレート１２のほぼ中央部を目地プレート支持機構１３の複数個の支持柱２６で支持した状態となっている。
地震等によって目地部４が広くなった場合には、図４に示すように目地プレート１２の先端部寄りの部位が目地プレート支持機構１３の複数個の支持柱２６で支持され、目地プレート１２の先端部が目地部４内へ脱落するのを阻止する。
目地部４が狭くなった場合には、図５に示すように目地プレート支持機構１３の複数個の支持柱２６は一方の床躯体３によって押し付けられ、付勢スプリング２４の付勢力に抗して他方の床躯体６に当接するようにスライド移動するため、目地部４の移動可能な寸法を小さくすることがない。
【００１４】
【発明の異なる実施の形態】
次に、図６ないし図３３に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図６ないし図８に示す本発明の第２の実施の形態において、前記本発明の第１の実施の形態と主に異なる点は、キー溝２９が形成された円筒状のガイド孔となるガイド筒３０と、このガイド筒３０内にスライド移動可能に取付けられるキー３１が固定された丸棒状のガイド杆２３Ａを使用した目地プレート支持機構１３Ａを用いた点で、このように形成された目地プレート支持機構１３Ａを用いて構成した床用目地装置１Ａにしても、前記本発明の第１の実施の形態と同様な作用効果が得られる。
【００１６】
図９ないし図１１に示す本発明の第３の実施の形態において、前記本発明の第１の実施の形態と主に異なる点は、複数個の支持柱２６を上下部バー３２、３３を用いて固定するとともに、支持板６Ａの先端部にストッパー片３７を形成し、丸孔状のガイド孔２２Ａと丸棒状のガイド杆２３Ｂを使用した目地プレート支持機構１３Ｂを用いた点で、このように形成された目地プレート支持機構１３Ｂを用いて構成した床用目地装置１Ｂにしても、前記本発明の第１の実施の形態と同様な作用効果が得られる。
【００１７】
図１２ないし図１４に示す本発明の第４の実施の形態において、前記本発明の第１の実施の形態と主に異なる点は、複数個の支持柱２６のほぼ中央部に回動バー３４の先端部を溶接等によって固定するとともに、後端部をヒンジ部材３５を用いて他方の床躯体６に取付けた目地プレート支持機構１３Ｃを用いた点で、このように形成された目地プレート支持機構１３Ｃを用いて構成した床用目地装置１Ｃにしても、前記本発明の第１の実施の形態と同様な作用効果が得られるとともに、ガイド孔を形成しなくてもよく、容易に設置することができる。
【００１８】
図１５ないし図１７に示す本発明の第５の実施の形態において、前記本発明の第３の実施の形態と主に異なる点は、ガイド孔２２Ａを一方の床躯体３に形成して、一方の床躯体３側に目地プレート支持機構１３Ｄを取付けた点で、このように目地プレート支持機構１３Ｄを取付けた床用目地装置１Ｄにしても、前記本発明の第３の実施の形態と同様な作用効果が得られる。
【００１９】
図１８ないし図２０に示す本発明の第６の実施の形態において、前記本発明の第４の実施の形態と主に異なる点は、複数個の支持柱２６のほぼ中央部にリップ溝形鋼形状のガイドレール３６を固定するとともに、このガイドレール３６に回動バー３４の先端部をスライド移動可能に取付けた目地プレート支持機構１３Ｅを用いた点で、このように形成された目地プレート支持機構１３Ｅを用いて構成した床用目地装置１Ｅにしても、前記本発明の第４の実施の形態と同様な作用効果が得られる。
【００２０】
図２１ないし図２４に示す本発明の第７の実施の形態において、前記本発明の第６の実施の形態と主に異なる点は、２本の回動バー３４、３４の先端部に支持柱２６をそれぞれ固定し、該支持柱２６にそれぞれ回動可能に取付けられた可動バー３８の先端部を目地部側の他方の床躯体６にほぼ水平に固定されたガイドレール３９にそれぞれスライド移動可能に取付けるとともに、該可動バー３８をそれぞれ前記支持柱２６が目地部４内に突出するように付勢する付勢スプリング４０を取付けた目地プレート支持機構１３Ｆを用いた点で、このように形成された目地プレート支持機構１３Ｆを用いて構成した床用目地装置１Ｆにしても、前記本発明の第６の実施の形態と同様な作用効果が得られる。
【００２１】
図２５ないし図２７に示す本発明の第８の実施の形態において、前記本発明の第７の実施の形態と主に異なる点は、複数個の支持柱２６を固定する固定バー４１、４１を取付け、一部の可動バー３８にだけ付勢スプリング４０を取付けた目地プレート支持機構１３Ｇを用いた点で、このように形成された目地プレート支持機構１３Ｇを用いて構成した床用目地装置１Ｇにしても、前記本発明の第７の実施の形態と同様な作用効果が得られる。
【００２２】
図２８ないし図３０に示す本発明の第９の実施の形態において、前記本発明の第７の実施の形態と主に異なる点は、バネ４２が取付けられた板状の回動バー３４Ａの先端部に支持柱２６をそれぞれ固定するとともに、該板状の回動バー３４Ａが一方の床躯体３の押圧により他方の床躯体６側に回動するように９０度よりも小さい角度で停止させるストッパー用のワイヤー４３をそれぞれ取付けた目地プレート支持機構１３Ｈを用いた点で、このように形成された目地プレート支持機構１３Ｈを用いて構成した床用目地装置１Ｈにしても、前記本発明の第７の実施の形態と同様な作用効果が得られる。
【００２３】
図３１ないし図３３に示す本発明の第１０の実施の形態において、前記本発明の第９の実施の形態と主に異なる点は、板状の回動バー３４Ａが一方の床躯体３の押圧により他方の床躯体６側に回動するように９０度よりも小さい角度で停止させるストッパー４４を他方の目地部側の床躯体６に取付けた目地プレート支持機構１３Ｉを用いた点で、このように形成された目地プレート支持機構１３Ｉを用いて構成した床用目地装置１Ｉにしても、前記本発明の第９の実施の形態と同様な作用効果が得られる。
【００２４】
【発明の効果】
以上の説明から明らかなように、本発明にあっては次に列挙する効果が得られる。
【００２５】
（１）外方へ突出する一方の床躯体の先端部に形成した目地プレート支持部と、前記外方へ突出する一方の床躯体とクランク状の目地部を介して設けられた他方の床躯体の目地部側上部に形成された反目地部側が傾斜面の目地プレート支持凹部と、後端部が前記目地プレート支持部に前記目地プレート支持凹部を覆う先端部が上方へ回動可能に支持された目地プレートと、前記一方の床躯体と他方の床躯体との間に位置する目地部の他方の床躯体部位にスライド移動可能に支持された前記目地プレートを支持するスライド移動可能な複数個の支持柱、この複数個の支持柱のほぼ中央部にそれぞれほぼ水平方向に突出するように取り付けられたガイド杆、これらのガイド杆をそれぞれ水平方向にスライド移動可能に挿入される前記一方の床躯体あるいは他方の床躯体に水平方向に形成されたガイド孔、これらのガイド孔内にそれぞれ収納された前記複数個の支持柱を常時目地部側へ突出する方向に付勢する付勢スプリングとからなる目地プレート支持機構とで構成されているので、地震等によって目地部が広くなった場合には、目地プレートの先端部寄りの部位を目地プレート支持機構によって支持することができる。
したがって、目地プレートの先端部が目地部内へ落下する事故を確実に防止でき、安全に使用することができる。
【００２６】
（２）前記（１）によって、目地部狭くなった場合には、目地プレート支持機構が収縮するので、目地部が狭くなる移動のじゃまをすることがなく、大きな目地部の移動量を確保することができる。
【００２７】
（３）前記（１）によって、構造が簡単であるので、容易に実施することができる。
【００２８】
（４）請求項２、３も前記（１）〜（３）と同様な効果が得られる。
【図面の簡単な説明】
【図１】本発明の第１の実施の形態の設置状態の説明図。
【図２】図１の２−２線に沿う拡大断面図。
【図３】本発明の第１の実施の形態の目地プレートを外した状態の要部平面図。
【図４】本発明の第１の実施の形態の目地部が広くなった動作説明図。
【図５】本発明の第１の実施の形態の目地部が狭くなった動作説明図。
【図６】本発明の第２の実施の形態の設置状態の断面図。
【図７】本発明の第２の実施の形態の目地プレートを外した要部説明図。
【図８】図７の８−８線に沿う要部断面図。
【図９】本発明の第３の実施の形態の設置状態の断面図。
【図１０】本発明の第３の実施の形態の目地プレートを外した要部説明図。
【図１１】図１０の平面図。
【図１２】本発明の第４の実施の形態の設置状態の断面図。
【図１３】本発明の第４の実施の形態の目地プレートを外した要部説明図。
【図１４】図１３の平面図。
【図１５】本発明の第５の実施の形態の設置状態の断面図。
【図１６】本発明の第５の実施の形態の目地プレートを外した要部説明図。
【図１７】図１６の平面図。
【図１８】本発明の第６の実施の形態の設置状態の断面図。
【図１９】本発明の第６の実施の形態の目地プレートを外した要部説明図。
【図２０】図１９の平面図。
【図２１】本発明の第７の実施の形態の設置状態の断面図。
【図２２】図２１の２２−２２線に沿う断面図。
【図２３】本発明の第７の実施の形態の目地プレートを外した要部説明図。
【図２４】本発明の第７の実施の形態の可動バーの取付け状態の説明図。
【図２５】本発明の第８の実施の形態の設置状態の断面図。
【図２６】図２５の２６−２６線に沿う断面図。
【図２７】本発明の第８の実施の形態の目地プレートを外した要部説明図。
【図２８】本発明の第９の実施の形態の設置状態の断面図。
【図２９】図２８の２９−２９線に沿う断面図。
【図３０】本発明の第９の実施の形態の目地プレートを外した要部説明図。
【図３１】本発明の第１０の実施の形態の設置状態の断面図。
【図３２】図３１の３２−３２線に沿う断面図。
【図３３】本発明の第１０の実施の形態の目地プレートを外した要部説明図。
【符号の説明】
１、１Ａ、１Ｂ〜１Ｉ：床用目地装置、
２：建物、              ３：一方の床躯体、
４：目地部、            ５：よう壁、
６：他方の床躯体、      ６ａ：床面、
６Ａ：支持板、          ７：目地プレート支持部、
８：傾斜面、            ９：目地プレート支持凹部、
１０：軸挿入孔、        １１：支持ピン、
１２：目地プレート、
１３、１３Ａ〜１３Ｉ：目地プレート支持機構、
１４：ビス、
１５：目地プレート支持金具本体、
１６：目地プレート支持金具、
１７：目地プレート支持凹部金具、
１８：傾斜面、          １９：目地プレート本体、
２０：モルタル、        ２１：床化粧材、
２２、２２Ａ：ガイド孔、
２３、２３Ａ、２３Ｂ：ガイド杆、
２４：付勢スプリング、  ２５：ローラー、
２６：支持柱、          ２７：ストッパー片、
２８：カバー体、        ２９：キー溝、
３０：ガイド筒、        ３１：キー、
３２：上部バー、        ３３：下部バー、
３４：回動バー、        ３５：ヒンジ部材、
３６：ガイドレール、    ３７：ストッパー片、
３８：可動バー、        ３９：ガイドレール、
４０：スプリング、      ４１：固定バー、
４２：バネ、            ４３：ワイヤー、
４４：ストッパー。
【図１】
0003746966.tif 000002
【図２】
0003746966.tif 000003
【図３】
0003746966.tif 000004
【図４】
0003746966.tif 000005
【図５】
0003746966.tif 000006
【図６】
0003746966.tif 000007
【図７】
0003746966.tif 000008
【図８】
0003746966.tif 000009
【図９】
0003746966.tif 000010
【図１０】
0003746966.tif 000011
【図１１】
0003746966.tif 000012
【図１２】
0003746966.tif 000013
【図１３】
0003746966.tif 000014
【図１４】
0003746966.tif 000015
【図１５】
0003746966.tif 000016
【図１６】
0003746966.tif 000017
【図１７】
0003746966.tif 000018
【図１８】
0003746966.tif 000019
【図１９】
0003746966.tif 000020
【図２０】
0003746966.tif 000021
【図２１】
0003746966.tif 000022
【図２２】
0003746966.tif 000023
【図２３】
0003746966.tif 000024
【図２４】
0003746966.tif 000025
【図２５】
0003746966.tif 000026
【図２６】
0003746966.tif 000027
【図２７】
0003746966.tif 000028
【図２８】
0003746966.tif 000029
【図２９】
0003746966.tif 000030
【図３０】
0003746966.tif 000031
【図３１】
0003746966.tif 000032
【図３２】
0003746966.tif 000033
【図３３】
0003746966.tif 000034